(57)【要約】【課題】搬送装置による参拝対象物の搬送によって厳粛な雰囲気が損なわれることを抑制することが可能な参拝設備を実現する。【解決手段】参拝設備は、参拝者の参拝位置と参拝用支持位置３０とを仕切るように配置される仕切壁５０と、光透過率を調節可能な調光部材８ａを用いて構成された窓部材８と、光量を調節可能な照明装置９０と、制御装置とを備える。仕切壁５０における参拝用支持位置３０に支持された参拝対象物１０が対向する部分に参拝窓５２が形成され、参拝窓５２には窓部材８が配置され、照明装置９０は参拝用支持位置３０に支持された参拝対象物１０に光が当たる位置に配置される。制御装置は、搬送装置の搬送作動による参拝対象物１０の参拝用支持位置３０への到着に合わせて、窓部材８の光透過率の増加、及び、照明装置９０の光量の増加の少なくとも一方を行う。【選択図】図３
2018159187.tif 000002
【特許請求の範囲】
【請求項１】
参拝対象物を保管する複数の保管部と、参拝者による参拝が行われる参拝部と、前記保管部と前記参拝部に設けられた参拝用支持位置との間で前記参拝対象物を搬送する搬送装置と、を備えた参拝設備であって、
前記参拝者の参拝位置と前記参拝用支持位置とを仕切るように前記参拝部に配置される仕切壁と、
光透過率を調節可能な調光部材を用いて構成された窓部材と、
光量を調節可能な照明装置と、
前記窓部材の光透過率及び前記照明装置の光量を制御する制御装置と、を備え、
前記仕切壁における前記参拝用支持位置に支持された前記参拝対象物が対向する部分に、前記参拝者が当該参拝対象物を視認するための参拝窓が形成され、
前記参拝窓には、前記窓部材が配置され、
前記照明装置は、前記参拝用支持位置に支持された前記参拝対象物に光が当たる位置に配置され、
前記制御装置は、前記搬送装置の搬送作動による前記参拝対象物の前記参拝用支持位置への到着に合わせて、前記窓部材の光透過率の増加、及び、前記照明装置の光量の増加の少なくとも一方を行う参拝設備。
【請求項２】
前記参拝窓は、前記参拝用支持位置の側から前記参拝位置の側へ向かうに従って段階的に開口面積が大きくなる複数の開口部を備え、
前記窓部材は、前記複数の開口部の少なくとも１つに配置されている請求項１に記載の参拝設備。
【請求項３】
前記窓部材は、前記複数の開口部のうちの最も前記参拝位置の側の開口部に配置されている請求項２に記載の参拝設備。
【請求項４】
前記照明装置は、複数の光源を備え、
前記複数の光源が、前記複数の開口部のそれぞれにおける前記参拝用支持位置の側の複数の位置に分かれて配置されている請求項２又は３に記載の参拝設備。
【発明の詳細な説明】
【技術分野】
【０００１】
本発明は、参拝対象物を保管する複数の保管部と、参拝者による参拝が行われる参拝部と、保管部と参拝部に設けられた参拝用支持位置との間で参拝対象物を搬送する搬送装置と、を備えた参拝設備に関する。
【背景技術】
【０００２】
参拝設備の一例が、特開平９−１０８０５５号公報（特許文献１）に記載されている。特許文献１に記載の参拝設備は、位牌や骨壺等が収納される容器（１０）が参拝対象物とされる立体祭壇装置であり、容器（１０）を保管する複数の収納室（２３）と、礼拝者による礼拝が行われる礼拝堂（２７）と、収納室（２３）と礼拝堂（２７）との間で容器（１０）を搬送する搬送装置（３０）と、を備えている。そして、礼拝者が礼拝に訪れた際には、搬送装置（３０）によって所望の容器（１０）が収納室（２３）から取り出されて礼拝堂（２７）に搬送される。容器（１０）の前面（１６）は戒名や俗名或いは写真等を表示する表示面とされ、容器（１０）が礼拝堂（２７）に載置された際に、礼拝堂（２７）の前方から当該表示面を礼拝者が視認可能とされている。
【先行技術文献】
【特許文献】
【０００３】
【特許文献１】特開平９−１０８０５５号公報（段落０００８，００１０等）
【発明の概要】
【発明が解決しようとする課題】
【０００４】
このように、上記のような参拝設備では搬送装置によって参拝対象物が参拝部に搬送されるが、参拝の対象となる参拝対象物が搬送装置という機械によって搬送されることにより、参拝者が参拝部において期待する厳粛な雰囲気が損なわれるおそれがある。しかしながら、特許文献１ではこの点について特段の認識がなされていなかった。
【０００５】
そこで、搬送装置による参拝対象物の搬送によって厳粛な雰囲気が損なわれることを抑制することが可能な参拝設備の実現が望まれる。
【課題を解決するための手段】
【０００６】
上記に鑑みた、参拝対象物を保管する複数の保管部と、参拝者による参拝が行われる参拝部と、前記保管部と前記参拝部に設けられた参拝用支持位置との間で前記参拝対象物を搬送する搬送装置と、を備えた参拝設備の特徴構成は、前記参拝者の参拝位置と前記参拝用支持位置とを仕切るように前記参拝部に配置される仕切壁と、光透過率を調節可能な調光部材を用いて構成された窓部材と、光量を調節可能な照明装置と、前記窓部材の光透過率及び前記照明装置の光量を制御する制御装置と、を備え、前記仕切壁における前記参拝用支持位置に支持された前記参拝対象物が対向する部分に、前記参拝者が当該参拝対象物を視認するための参拝窓が形成され、前記参拝窓には、前記窓部材が配置され、前記照明装置は、前記参拝用支持位置に支持された前記参拝対象物に光が当たる位置に配置され、前記制御装置は、前記搬送装置の搬送作動による前記参拝対象物の前記参拝用支持位置への到着に合わせて、前記窓部材の光透過率の増加、及び、前記照明装置の光量の増加の少なくとも一方を行う点にある。
【０００７】
上記の特徴構成によれば、光透過率を調節可能な調光部材を用いて構成される窓部材が、参拝窓に配置されると共に、光量を調節可能な照明装置が、参拝用支持位置に支持された参拝対象物に光が当たる位置に配置されるため、参拝者から見た参拝窓よりも参拝用支持位置側の領域の視認性を、窓部材の光透過率の調節や照明装置の光量の調節によって制御することができる。そして、窓部材の光透過率及び照明装置の光量を制御する制御装置により、搬送装置の搬送作動による参拝対象物の参拝用支持位置への到着に合わせて、窓部材の光透過率の増加及び照明装置の光量の増加の少なくとも一方が行われるため、参拝対象物の参拝用支持位置への到着よりも前の時点では上記の視認性を低く抑え、参拝対象物の参拝用支持位置への到着よりも後の時点では上記の視認性を高く確保することができる。これにより、参拝対象物の参拝用支持位置への到着よりも前の時点では、参拝対象物が搬送装置によって搬送されていることに参拝者の意識が向き難くして、参拝部における厳粛な雰囲気が損なわれることを抑制することができると共に、参拝対象物の参拝用支持位置への到着よりも後の時点では、参拝用支持位置に支持された参拝対象物の参拝者から見た視認性を高く確保して、参拝者の満足感の向上を図ることができる。
なお、参拝者から見た参拝窓よりも参拝用支持位置側の領域の視認性の制御は、窓部材の光透過率の調節や照明装置の光量の調節という、参拝者に機械的な可動部分が見えない方法で行われるため、参拝部における厳粛な雰囲気を維持しつつ上記のような視認性の制御を行うことができるという利点もある。
以上のように、上記の特徴構成によれば、搬送装置による参拝対象物の搬送によって厳粛な雰囲気が損なわれることを抑制することが可能な参拝設備を実現することができる。
【図面の簡単な説明】
【０００８】
【図１】参拝設備の平面図
【図２】参拝設備の側面図
【図３】参拝設備の参拝部近傍における側面図及び参拝窓の正面図
【図４】制御ブロック図
【図５】制御フロー図
【図６】その他の実施形態に係る参拝設備の参拝部近傍における側面図
【図７】その他の実施形態に係る参拝設備の側面図
【発明を実施するための形態】
【０００９】
参拝設備の実施形態について、図面を参照して説明する。図１及び図２に示すように、参拝設備１は、参拝対象物１０を保管する複数の保管部６５と、参拝者Ｐによる参拝が行われる参拝部６と、保管部６５と参拝部６に設けられた参拝用支持位置３０との間で参拝対象物１０を搬送する搬送装置２０と、を備えた設備である。参拝設備１は、搬送装置２０の作動を制御する制御装置５（図４参照）を備えており、搬送装置２０は、制御装置５による制御を受けて、参拝者Ｐが参拝しようとする参拝対象物１０を保管部６５から参拝用支持位置３０に搬送すると共に、参拝が終了した参拝対象物１０を参拝用支持位置３０から保管部６５に搬送する。
【００１０】
図２に１つの参拝対象物１０の側壁部を切り欠いてその内部を示すように、参拝対象物１０は、遺骨が納められた骨壺を収納物２とする収納容器（厨子）であり、収納物２の収容空間を形成する箱状（本例では直方体状）に形成されている。収納物２としての骨壺には、故人又はペットの遺骨（以下、単に「遺骨」という。）が納められる。収納物２は、骨袋等の骨壺以外の入れ物とすることもできる。また、収納物２（又は収納物２に納められるもの）は、故人又はペットの遺灰（以下、単に「遺灰」という。）、遺骨及び遺灰の少なくとも一方を含有する製造物（例えば、位牌や仏像等）、遺骨も遺灰も含有しない製造物（例えば、位牌や仏像等）、故人やペットの遺品等の、遺骨以外のものであっても良い。
【００１１】
図３に示すように、参拝対象物１０は、収納物２に関係のある情報が記された板状体３を有している。なお、板状体３は、図３及び後に参照する図６、図７のみに示し、これら以外の図面では、板状体３を省略して参拝対象物１０を簡略化して示している。板状体３は、参拝対象物１０における収納物２の収容空間を形成する本体部（箱状部）の側面（側壁部の外面）に取り付けられている。参拝対象物１０の本体部は、例えば金属材料（ステンレス等）により形成され、板状体３は、例えば石材により形成される。収納物２に関係のある情報は、文字、図形、記号、又はこれらの組み合わせ等によって表され、板状体３の表面（参拝対象物１０の本体部に取り付けられた状態で外側を向く面）に彫刻や印刷等により記される。収納物２に関係のある情報として、故人の家名（名字）、故人の家紋、故人の好きな言葉を例示することができる。
【００１２】
図２に示すように、参拝部６には、上下方向Ｚに延びる仕切壁５０が設けられている。仕切壁５０は、参拝者Ｐが参拝を行う参拝位置Ｓと参拝用支持位置３０とを、水平面に沿う第一方向Ｘにおける仕切位置５１（図１、図２参照）で仕切るように配置されている。そして、仕切壁５０における参拝用支持位置３０に支持された参拝対象物１０が第一方向Ｘに対向する部分に、参拝者Ｐが当該参拝対象物１０を視認するための参拝窓５２（参拝用の開口部）が形成されている。よって、参拝者Ｐは、参拝を行う際に、参拝窓５２を通して参拝用支持位置３０に支持された参拝対象物１０を目視することができる。参拝窓５２は、板状体３の形状及び寸法に合わせて形成され、ここでは矩形状に形成されている。図１〜図３に示すように、参拝窓５２には窓部材８が配置されている。窓部材８の詳細については後述する。
【００１３】
第一方向Ｘにおける参拝用支持位置３０に対して参拝窓５２が位置する側（言い換えれば、第一方向Ｘにおける後述する参拝用支持部３１に対して参拝窓５２が位置する側）を第一側Ｘ１とし、第一側Ｘ１とは反対側を第二側Ｘ２とすると、図３に示すように、参拝対象物１０は、板状体３が第一側Ｘ１となる向きで参拝用支持位置３０に支持される。よって、参拝者Ｐは、参拝窓５２を通して、参拝用支持位置３０に支持された参拝対象物１０の板状体３を目視することができる。
【００１４】
図１及び図２に示すように、第一方向Ｘの同じ位置に配置された複数の保管部６５によって保管棚６０が形成されている。１つの保管棚６０を形成する複数の保管部６５は、上下方向Ｚに複数段且つ第二方向Ｙ（水平面において第一方向Ｘに直交する方向）に複数列配置されている。すなわち、保管棚６０は、棚奥行方向が第一方向Ｘとなり且つ棚横幅方向が第二方向Ｙとなる向きで設置されている。保管棚６０は、上下方向Ｚに延びる複数の支柱６４と、第一方向Ｘに延びる複数の腕木６３（板状部材）とを備えている。腕木６３のそれぞれは、第一方向Ｘに並ぶ一対の支柱６４のそれぞれに固定されている。保管部６５は、支柱６４によって第二方向Ｙに区画されると共に、腕木６３によって上下方向Ｚに区画されている。図１に示すように、参拝対象物１０は、第二方向Ｙに離間して配置された一対の腕木６３によって下方から支持された状態で、保管部６５に保管される。１つの保管部６５には１つの参拝対象物１０が保管される。保管棚６０は、第一方向Ｘに互いに対向するように一対設けられている。以下では、一対の保管棚６０のうち、第一側Ｘ１に配置される保管棚６０を第一保管棚６１とし、第二側Ｘ２に配置される保管棚６０を第二保管棚６２とする。
【００１５】
参拝設備１は、一対の保管棚６０の側周囲（上下方向視での周囲）を囲む壁体７を備えており、搬送装置２０は、壁体７によって囲まれた領域の内部において参拝対象物１０を搬送する。図１〜図３に示すように、壁体７における参拝部６に配置される壁部（参拝位置Ｓと参拝用支持位置３０とを仕切る部分）は、仕切壁５０に対して第一側Ｘ１に配置されており、当該壁部における参拝窓５２が第一方向Ｘに対向する部分に開口部７ａが形成されている。開口部７ａは、第一方向Ｘに見て参拝窓５２の全体を含むように形成されており、参拝者Ｐは、開口部７ａ及び参拝窓５２を通して、参拝用支持位置３０に支持された参拝対象物１０を目視する。壁体７における開口部７ａの下側を区画する部分には、線香や供え物等が置かれる祭壇９が形成されている。また、開口部７ａの周囲の壁体７の表面（第一側Ｘ１を向く面）には、墓地の装飾（例えば、墓石を模した御影石の模様等）が施されている。
【００１６】
図１及び図２に示すように、参拝用支持位置３０は、第一保管棚６１において一部の保管部６５に代えて設けられている。具体的には、第一保管棚６１には、保管部６５を形成するための単位空間（腕木６３及び支柱６４によって区画される空間）が上下方向Ｚに複数段且つ第二方向Ｙに複数列配置されており、そのうちの一部の単位空間が参拝用支持位置３０を形成するための空間として用いられている。そして、図１に示すように、参拝対象物１０は、参拝用支持位置３０において、第二方向Ｙに離間して配置された一対の腕木６３によって下方から支持される。すなわち、参拝用支持位置３０に設けられた一対の腕木６３により、参拝用支持位置３０において参拝対象物１０を支持する参拝用支持部３１が構成されている。このように、参拝用支持位置３０には、搬送装置２０により搬送された参拝対象物１０が載置される参拝用支持部３１が設けられている。
【００１７】
図１及び図２に示すように、搬送装置２０はスタッカークレーンである。具体的には、搬送装置２０は、床面部に設置されたレール４９に案内されて走行する走行体４１と、走行体４１に立設されたマスト４２と、マスト４２に案内されて昇降（上下方向Ｚに沿って移動）する昇降体４３と、昇降体４３に支持された移載装置４５と、を備えている。制御装置５は、各種センサ（例えば、ロータリエンコーダ等）の検出情報に基づき、搬送装置２０の作動（具体的には、走行体４１の走行作動、昇降体４３の昇降作動、及び移載装置４５の移載作動）を制御する。
【００１８】
制御装置５は、マイクロコンピュータ等のプロセッサを備えると共にメモリ等の周辺回路を備え、これらのハードウェアと、プロセッサ等のハードウェア上で実行されるプログラムとの協働により、制御装置５の各機能が実現される。制御装置５は、搬送装置２０に設けられても、搬送装置２０とは独立に設けられても良い。また、制御装置５が互いに通信可能に分離された複数のハードウェアを備える場合、一部のハードウェアが搬送装置２０に設けられ、残りのハードウェアが搬送装置２０とは独立に設けられても良い。
【００１９】
移載装置４５は、搬送装置２０における参拝対象物１０の支持部（後述する下方支持部４４）と、移載対象箇所（保管部６５又は参拝用支持位置３０）における参拝対象物１０の支持部（本例では一対の腕木６３）との間で、参拝対象物１０を移載する装置である。移載装置４５は、参拝対象物１０を下方から支持する下方支持部４４を第一方向Ｘに沿って出退移動させるフォーク機構を備えている。このフォーク機構は、昇降体４３側に引退させた引退位置（図１に示す下方支持部４４の位置）と、この引退位置から移載対象箇所側に突出させた突出位置（図２に示す下方支持部４４の位置）との間で、下方支持部４４を第一方向Ｘに沿って出退移動させる。下方支持部４４の第二方向Ｙの幅は、一対の腕木６３の第二方向Ｙの間隔よりも狭く形成されている。このフォーク機構は、引退位置に対して第一方向Ｘの両側の突出位置に、下方支持部４４を移動させることができるように構成されている。
【００２０】
移載装置４５による下方支持部４４から保管部６５への参拝対象物１０の移載動作について説明すると、搬送装置２０は、まず、走行体４１の走行作動及び昇降体４３の昇降作動により、参拝対象物１０を支持した状態で引退位置に位置する下方支持部４４を、移載対象の保管部６５に対して設定された上側目標位置に移動させる。次に、搬送装置２０は、移載装置４５のフォーク機構により下方支持部４４を引退位置から突出位置に移動させる。この際、移載対象の保管部６５が第一保管棚６１の保管部６５である場合には、下方支持部４４は引退位置に対して第一側Ｘ１の突出位置まで第一側Ｘ１に向けて移動され、移載対象の保管部６５が第二保管棚６２の保管部６５である場合には、下方支持部４４は引退位置に対して第二側Ｘ２の突出位置まで第二側Ｘ２に向けて移動される。その後、搬送装置２０は、昇降体４３の昇降作動により下方支持部４４を下降させて参拝対象物１０を保管部６５に降ろした後、移載装置４５のフォーク機構により下方支持部４４を突出位置から引退位置に移動させる。
【００２１】
移載装置４５による下方支持部４４から参拝用支持部３１への参拝対象物１０の移載動作については、上側目標位置が参拝用支持部３１に対して設定された上側目標位置に置き換わる点を除いて、上述した下方支持部４４から第一保管棚６１の保管部６５への参拝対象物１０の移載動作と同様であるため、詳細な説明は省略する。なお、図２に示すように、参拝用支持位置３０における参拝対象物１０の支持位置は、第一保管棚６１の保管部６５における参拝対象物１０の支持位置よりも第一側Ｘ１にずれているため、参拝用支持部３１に参拝対象物１０を移載する場合の突出位置は、第一保管棚６１の保管部６５に参拝対象物１０を移載する場合の突出位置よりも第一側Ｘ１に設定される。
【００２２】
移載装置４５による保管部６５から下方支持部４４への参拝対象物１０の移載動作について説明すると、搬送装置２０は、まず、走行体４１の走行作動及び昇降体４３の昇降作動により、引退位置の下方支持部４４を、移載対象の保管部６５に対して設定された下側目標位置に移動させる。次に、搬送装置２０は、移載装置４５のフォーク機構により下方支持部４４を引退位置から突出位置に移動させた後、昇降体４３の昇降作動により下方支持部４４を上昇させて参拝対象物１０を下方支持部４４にて保管部６５から掬い、その後、移載装置４５のフォーク機構により下方支持部４４を突出位置から引退位置に移動させる。ここでの突出位置は、移載装置４５による下方支持部４４から保管部６５への参拝対象物１０の移載動作と同様に、移載対象の保管部６５が第一保管棚６１及び第二保管棚６２のいずれの保管部６５であるかに応じて、引退位置に対して第一側Ｘ１又は第二側Ｘ２の突出位置とされる。なお、同一の保管部６５に対して設定される上側目標位置及び下側目標位置について、下側目標位置は、第二方向Ｙについては上側目標位置と同じ位置に設定され、上下方向Ｚについては上側目標位置よりも設定距離だけ下側に設定される。
【００２３】
移載装置４５による参拝用支持部３１から下方支持部４４への参拝対象物１０の移載動作については、下側目標位置が参拝用支持部３１に対して設定された下側目標位置に置き換わる点を除いて、上述した第一保管棚６１の保管部６５から下方支持部４４への参拝対象物１０の移載動作と同様であるため、詳細な説明は省略する。なお、同一の参拝用支持部３１に対して設定される上側目標位置及び下側目標位置について、下側目標位置は、第二方向Ｙについては上側目標位置と同じ位置に設定され、上下方向Ｚについては上側目標位置よりも設定距離だけ下側に設定される。
【００２４】
上述したように、参拝者Ｐが参拝用支持位置３０に支持された参拝対象物１０を視認するための参拝窓５２には、窓部材８が配置されている。図３に示すように、参拝窓５２（後述する開口部７０）は第一方向Ｘに見て矩形状に形成されており、窓部材８は、開口部７０に嵌まる大きさの平板状（外縁形状が矩形の平板状）に形成されている。そして、窓部材８は、光透過率を調節可能な調光部材８ａを用いて構成されている。例えば、一対のガラス基板の間に調光部材８ａが挟まれた構造体や、ガラス基板（ガラス板）の表面（参拝窓５２に配置された状態で第一側Ｘ１を向く表面又は第二側Ｘ２を向く表面）に調光部材８ａが貼り付けられた構造体を窓部材８として用いることができる。調光部材８ａは、透明状態（光透過率が高い状態）と不透明状態（光透過率が低い状態）とに切り替えることが可能な調光素子であり、液晶分子の配光を制御して光透過率を変化させる液晶方式や、電気化学反応によって光透過率を変化させるエレクトロクロミック方式等、あらゆる方式（原理）の調光素子を用いることができる。調光部材８ａとして、シート状（フィルム状）の部材を用いることもできる。また、調光部材８ａは、不透明状態に切り替えられた状態で乳白色となるもの、不透明状態に切り替えられた状態で濃色となるもの、不透明状態に切り替えられた状態で鏡状態となるもの等を用いることができる。
【００２５】
制御装置５は、調光部材８ａの光透過率を調節するための調光装置２５を制御することで（図４参照）、調光部材８ａを用いて構成された窓部材８の光透過率を制御する。例えば、液晶方式の調光素子やエレクトロクロミック方式の調光素子のように電気的に光透過率を制御可能な調光素子を調光部材８ａとして用いる場合、調光装置２５は、調光部材８ａへの印加電圧を制御する電圧制御装置とされ、制御装置５は、調光装置２５を介して調光部材８ａへの印加電圧を制御する（例えば、電圧を印加する状態と電圧を印加しない状態とを切り替える）ことで、窓部材８の光透過率を調節する。
【００２６】
図３に示すように、参拝部６には、光量を調節可能な照明装置９０が設けられている。照明装置９０は、参拝用支持位置３０に支持された参拝対象物１０に光が当たる位置に配置されている。具体的には、照明装置９０は、参拝対象物１０の第一側Ｘ１の端面（板状体３の表面）に光が当たる位置に配置されている。そして、照明装置９０の光量は、制御装置５により制御される（図４参照）。本実施形態では、照明装置９０は複数の光源を備えており、当該複数の光源の少なくとも一部から発せられた光が、参拝用支持位置３０に支持された参拝対象物１０に照射される。なお、光源は、点光源（白熱電球や発光ダイオード等）、線光源（蛍光灯等）、面光源（有機ＥＬ光源等）のいずれであっても良い。そして、制御装置５は、発光させる光源の数、及び各光源の光量の少なくとも一方を制御することで、照明装置９０の光量（照明装置９０全体での光量）を調節する。
【００２７】
上記のように、光透過率を調節可能な調光部材８ａを用いて構成される窓部材８を参拝窓５２に配置すると共に、光量を調節可能な照明装置９０を参拝用支持位置３０に支持された参拝対象物１０に光が当たる位置に配置することで、参拝者Ｐから見た参拝窓５２よりも参拝用支持位置３０の側の領域（搬送装置２０や保管棚６０の配設領域）の視認性を、窓部材８の光透過率の調節や照明装置９０の光量の調節によって制御することができる。すなわち、窓部材８の光透過率が増加するに従って上記の視認性が高くなり、また、照明装置９０の光量が増加するに従って上記の視認性が高くなる。そして、制御装置５は、搬送装置２０の搬送作動による参拝対象物１０の参拝用支持位置３０への到着に合わせて、窓部材８の光透過率の増加、及び、照明装置９０の光量の増加の双方を行うように構成されている。これにより、参拝対象物１０の参拝用支持位置３０への到着よりも後の時点では、参拝窓５２を通して参拝対象物１０を見る参拝者Ｐに満足感を与えることができる程度に上記の視認性を高く確保できながら、参拝対象物１０の参拝用支持位置３０への到着よりも前の時点では上記の視認性を低く抑えることが可能となっている。これにより、参拝対象物１０が参拝用支持位置３０に向けて搬送装置２０によって搬送されていることに参拝者Ｐの意識が向き難くして、参拝部６における厳粛な雰囲気が損なわれることを抑制することができる。また、このように制御装置５が窓部材８の光透過率及び照明装置９０の光量の双方を制御する構成とすることで、これら２つの制御量（光透過率及び光量）を同時に制御して参拝部６における演出効果を高めることが可能となっている。例えば、これら２つの制御量を漸増又は漸減させることで、厳かさを良好に演出することができる。
【００２８】
図５は、制御装置５により実行される制御フローの一例を示している。図５に示すように、制御装置５は、参拝対象物１０が参拝用支持位置３０に到着すると（ステップ＃０１：Ｙｅｓ）、窓部材８の光透過率を増加させる光透過率増加制御を実行すると共に（ステップ＃０２）、照明装置９０の光量を増加させる光量増加制御を実行する（ステップ＃０３）。例えば、参拝対象物１０が参拝用支持位置３０に到着する前の時点では、窓部材８の光透過率がその調節範囲内で最も低い透過率に維持され、光透過率増加制御（ステップ＃０２）では、窓部材８の光透過率を、その調節範囲内で最も高い透過率まで増加させる構成とすることができる。また、例えば、参拝対象物１０が参拝用支持位置３０に到着する前の時点では、照明装置９０の光量がその調節範囲内で最も小さい光量（すなわち、非点灯状態でのゼロ）に維持され、光量増加制御（ステップ＃０３）では、照明装置９０の光量を、その調節範囲内で最も大きい光量（例えば、定格光量）まで増加させる構成とすることができる。
【００２９】
制御装置５は、検出装置２９（図４参照）の検出情報に基づき、参拝対象物１０が参拝用支持位置３０に到着したか否かの判定（ステップ＃０１）を行う。検出装置２９は、参拝対象物１０が参拝用支持位置３０に位置する場合と、参拝対象物１０が参拝用支持位置３０に位置しない場合とで、互いに異なる信号を制御装置５に出力する。例えば、検出装置２９を、参拝用支持部３１に参拝対象物１０が載置されているか否かを検出するセンサ（遮光式の光センサ等）により構成し、制御装置５が、参拝用支持部３１に参拝対象物１０が載置されたことが検出装置２９により検出されると、参拝対象物１０が参拝用支持位置３０に到着したと判定する構成とすることができる。なお、検出装置２９を、非接触式のセンサではなく接触式のセンサとすることもできる。また、制御装置５が、下方支持部４４の第一方向Ｘの位置（引退位置からの突出量）を検出するセンサ（ロータリエンコーダ等）の検出情報に基づき、参拝対象物１０が参拝用支持位置３０に到着したか否かの判定を行う構成とすることもできる。
【００３０】
そして、制御装置５は、参拝対象物１０の参拝用支持位置３０からの搬出が開始されるまでの間（ステップ＃０４：Ｎｏ）、窓部材８の光透過率を、光透過率増加制御（ステップ＃０２）による増加後の値に維持すると共に、照明装置９０の光量を、光量増加制御（ステップ＃０３）による増加後の値に維持する。そして、参拝対象物１０の参拝用支持位置３０からの搬出開始タイミングが到来すると（ステップ＃０４：Ｙｅｓ）、制御装置５は、窓部材８の光透過率を減少させる光透過率減少制御を実行すると共に（ステップ＃０５）、照明装置９０の光量を減少させる光量減少制御を実行する（ステップ＃０６）。例えば、光透過率減少制御（ステップ＃０５）では、窓部材８の光透過率を、その調節範囲内で最も低い透過率まで減少させる構成とすることができる。また、例えば、光量減少制御（ステップ＃０６）では、照明装置９０の光量を、その調節範囲内で最も小さい光量まで減少させる構成とすることができる。参拝対象物１０は、参拝者Ｐによる参拝が終了すると参拝用支持位置３０から搬出されるため、参拝者Ｐにより参拝の終了の操作（例えばスイッチの操作）がなされたことや、参拝者Ｐによる参拝の開始から設定時間経過したこと等を条件に、参拝対象物１０の参拝用支持位置３０からの搬出開始タイミングが到来したと制御装置５が判定する構成とすることができる。
【００３１】
このように、制御装置５は、搬送装置２０の搬送作動による参拝対象物１０の参拝用支持位置３０への到着に合わせて、窓部材８の光透過率を増加させる光透過率増加制御と、照明装置９０の光量を増加させる光量増加制御とを実行し、搬送装置２０の搬送作動による参拝対象物１０の参拝用支持位置３０からの搬出開始に合わせて、窓部材８の光透過率を減少させる光透過率減少制御と、照明装置９０の光量を減少させる光量減少制御とを実行する。なお、「合わせて」とは、対象となる２つのタイミング（例えば、参拝対象物１０が参拝用支持位置３０へ到着するタイミングと、光透過率増加制御を開始するタイミング）に相関があることを意味し、これら２つのタイミングが一致する場合だけでなく、これら２つのタイミングがずれている場合も含む概念である。後者の場合の例として、例えば、光透過率増加制御を開始するタイミングを、参拝対象物１０が参拝用支持位置３０へ到着するタイミングよりも設定時間だけ遅らせ（或いは早めた）タイミングに設定することができる。
【００３２】
本実施形態に係る参拝設備１は、更に以下のような構成を備えることで、参拝部６における演出効果（荘厳さや高級感等）の向上を図っている。
【００３３】
図２及び図３に示すように、参拝窓５２は、参拝用支持位置３０の側から参拝位置Ｓの側へ向かうに従って（すなわち、第一側Ｘ１に向かうに従って）段階的に開口面積が大きくなる複数の開口部７０を備えている。具体的には、仕切壁５０における参拝窓５２を形成する部分には、第一側Ｘ１から順に、第一枠体８１、第二枠体８２、及び第三枠体８３が設けられている。第一枠体８１、第二枠体８２、及び第三枠体８３のそれぞれは平板状に形成されており、板面が第一方向Ｘに直交する姿勢で配置されている。各枠体（８１，８２，８３）には、厚さ方向（第一方向Ｘ）に貫通する矩形状の開口部７０が形成されており、第二枠体８２に形成された開口部７０（第二開口部７２）は、第三枠体８３に形成された開口部７０（第三開口部７３）よりも開口面積が大きく形成され、第一枠体８１に形成された開口部７０（第一開口部７１）は、第二開口部７２よりも開口面積が大きく形成されている。そして、第二開口部７２は第一方向Ｘに見て第一開口部７１の全体を含むように形成され、第一開口部７１は第一方向Ｘに見て第二開口部７２の全体を含むように形成されている。図３に示すように、参拝者Ｐの視点位置から参拝対象物１０を見る方向は第一方向Ｘに平行或いはそれに近い方向となるため、上記のように各開口部（７１，７２，７３）を形成することで、参拝位置Ｓで参拝を行う参拝者Ｐは、参拝窓５２の奥行き感を感じることができる。なお、参拝窓５２が備える開口部７０の数は３つ以外でも良く、その数は適宜変更可能である。
【００３４】
図３に示すように、窓部材８は、複数の開口部７０のうちの最も参拝位置Ｓの側（最も第一側Ｘ１）の開口部７０（第一開口部７１）に配置されている。すなわち、窓部材８は、第一開口部７１に嵌まる大きさの平板状に形成され、第一開口部７１を塞ぐように第一枠体８１に固定されている。一方、第二開口部７２及び第三開口部７３には窓部材８は配置されずに開放されている。参拝窓５２が複数の開口部７０を備える場合には、窓部材８は複数の開口部７０の少なくとも１つに配置されるが、本実施形態ではこのように、窓部材８は複数の開口部７０の１つのみに配置されている。
【００３５】
また、図３に示すように、参拝窓５２が複数の開口部７０を備えることに対応して、照明装置９０が備える複数の光源は、複数の開口部７０のそれぞれにおける参拝用支持位置３０の側（第二側Ｘ２）の複数の位置に分かれて配置されている。具体的には、第一開口部７１における参拝用支持位置３０の側の位置、第二開口部７２における参拝用支持位置３０の側の位置、及び、第三開口部７３における参拝用支持位置３０の側の位置の３つの位置に分かれて、照明装置９０が備える複数の光源が配置されている。図３に示すように、第一開口部７１における参拝用支持位置３０の側の位置に配置される光源を第一光源９１とし、第二開口部７２における参拝用支持位置３０の側の位置に配置される光源を第二光源９２とし、第三開口部７３における参拝用支持位置３０の側の位置に配置される光源を第三光源９３とすると、第一光源９１は、第一枠体８１の第二側Ｘ２を向く外面に配置され、第二光源９２は、第二枠体８２の第二側Ｘ２を向く外面に配置され、第三光源９３は、第三枠体８３の第二側Ｘ２を向く外面に配置されている。第一光源９１、第二光源９２、及び第三光源９３のそれぞれは、単数又は複数の点光源、線光源、又は面光源により構成される。照明装置９０が備える複数の光源（ここでは、第一光源９１、第二光源９２、及び第三光源９３）をこのように配置することで、光源間の第一方向Ｘにおける配置位置の差を、照明装置９０による光の演出に利用することができる。第一光源９１、第二光源９２、及び第三光源９３の間で、光量増加制御や光量減少制御の実行時における光量の変化タイミングを互いに異ならせても良い。
【００３６】
本実施形態では、第一光源９１は、第一枠体８１の第二側Ｘ２を向く外面において第一開口部７１の矩形状の外周縁に沿って配置され、第二光源９２は、第二枠体８２の第二側Ｘ２を向く外面において第二開口部７２の矩形状の外周縁に沿って配置され、第三光源９３は、第三枠体８３の第二側Ｘ２を向く外面において第三開口部７３の矩形状の外周縁に沿って配置されている。なお、各光源は、対応する開口部（第一光源９１の場合には第一開口部７１）の外周縁に全域に亘って沿うように配置しても、対応する開口部の外周縁の一部（例えば、矩形状の外周縁における対向する一対の辺部）のみに沿うように配置しても良い。
【００３７】
〔その他の実施形態〕
次に、参拝設備のその他の実施形態について説明する。
【００３８】
（１）上記の実施形態では、制御装置５が、搬送装置２０の搬送作動による参拝対象物１０の参拝用支持位置３０への到着に合わせて、窓部材８の光透過率の増加、及び、照明装置９０の光量の増加の双方を行う構成を例として説明した。しかし、そのような構成に限定されることなく、制御装置５が、搬送装置２０の搬送作動による参拝対象物１０の参拝用支持位置３０への到着に合わせて、窓部材８の光透過率の増加、及び、照明装置９０の光量の増加の一方のみを行う構成とすることもできる。このような場合に、窓部材８の光透過率の増加、及び、照明装置９０の光量の増加の他方を、搬送装置２０の搬送作動による参拝対象物１０の参拝用支持位置３０への到着とは無関係なタイミング（例えば、参拝者Ｐ等の人為操作に基づくタイミング）で行っても良い。
【００３９】
（２）上記の実施形態では、制御装置５が、搬送装置２０の搬送作動による参拝対象物１０の参拝用支持位置３０からの搬送開始に合わせて、窓部材８の光透過率の減少、及び、照明装置９０の光量の減少の双方を行う構成を例として説明した。しかし、そのような構成に限定されることなく、制御装置５が、搬送装置２０の搬送作動による参拝対象物１０の参拝用支持位置３０からの搬送開始に合わせて、窓部材８の光透過率の減少、及び、照明装置９０の光量の減少の一方のみを行う構成とすることもできる。
【００４０】
（３）上記の実施形態では、参拝窓５２が、第一側Ｘ１に向かうに従って段階的に開口面積が大きくなる複数の開口部７０を備える構成を例として説明した。しかし、そのような構成に限定されることなく、参拝窓５２が、開口面積が互いに等しい複数の開口部７０を備える構成とすることもできる。また、参拝窓５２が、１つの開口部７０のみを備える構成とすることもできる。
【００４１】
（４）上記の実施形態では、照明装置９０が備える複数の光源が、第一方向Ｘの複数の位置（具体的には、複数の開口部７０のそれぞれにおける参拝用支持位置３０の側の複数の位置）に分かれて配置される構成を例として説明した。しかし、そのような構成に限定されることなく、照明装置９０が備える単数又は複数の光源が、第一方向Ｘの同じ位置に配置される構成や、第一方向Ｘにおける複数（但し、照明装置９０が備える開口部７０の数とは異なる数）の位置に配置される構成とすることもできる。また、図３で示す各光源（９１，９２，９３）の配置位置は単なる一例であり、各光源をその他の場所に配置することも可能である。
【００４２】
（５）上記の実施形態では、窓部材８が、複数の開口部７０のうちの最も参拝位置Ｓの側の開口部７０に配置される構成を例として説明した。しかし、そのような構成に限定されることなく、窓部材８が、図６に示す例のように、複数の開口部７０のうちの最も参拝用支持位置３０の側の開口部７０に配置される構成や、窓部材８が、複数の開口部７０のうちの、最も参拝位置Ｓの側の開口部７０及び最も参拝用支持位置３０の側の開口部７０のいずれでもない開口部７０（第一方向Ｘにおける中間位置に配置される開口部７０）に配置される構成とすることもできる。窓部材８の配設位置は、演出方法の違いに応じて選択することができる。例えば、窓部材８を複数の開口部７０のうちの最も参拝用支持位置３０の側の開口部７０に配置して、参拝対象物１０に対してスポット光が照射されるイメージを演出することや、窓部材８を複数の開口部７０のうちの最も参拝位置Ｓの側の開口部７０に配置して、参拝対象物１０に対して間接照明が照射されるイメージを演出することができる。また、窓部材８の配設位置を、窓部材８（調光部材８ａ）の材質に応じて選択することもできる。例えば、光透過率の調節範囲内での最も高い光透過率（すなわち、透明状態での光透過率）に応じて、透明状態での光透過率が高い場合には、窓部材８を複数の開口部７０のうちの最も参拝位置Ｓの側の開口部７０に配置し、透明状態での光透過率が低い場合には、窓部材８を複数の開口部７０のうちの最も参拝用支持位置３０の側の開口部７０に配置することができる。また、上記の実施形態では、窓部材８が複数の開口部７０の１つのみに配置される構成を例として説明したが、窓部材８が複数の開口部７０の２つ以上に配置される構成とすることもできる。
【００４３】
（６）上記の実施形態では、移載装置４５が、下方支持部４４を第一方向Ｘに沿って出退移動させるフォーク機構を備える構成を例として説明した。しかし、そのような構成に限定されることなく、移載装置４５が、参拝対象物１０を第二方向Ｙの両側から挟む一対のクランプ部を第一方向Ｘに沿って出退移動させる機構を備える構成、移載装置４５が、参拝対象物１０の上部に設けられた突起部（フランジ部等）を把持する把持部を第一方向Ｘに沿って出退移動させる機構を備える構成、移載装置４５が、参拝対象物１０の側面に設けられた被係合部（取っ手等）に係脱自在な係合部（フック）を第一方向Ｘに沿って出退移動させる機構を備える構成等とすることもできる。
【００４４】
（７）上記の実施形態では、仕切壁５０が壁体７とは別部材である構成を例として説明した。しかし、そのような構成に限定されることなく、仕切壁５０が壁体７と一体的に形成される構成としても良い。すなわち、壁体７における参拝部６に配置される部分が仕切壁５０を構成しても良い。
【００４５】
（８）上記の実施形態では、搬送装置２０がスタッカークレーンである構成を例として説明した。しかし、そのような構成に限定されることなく、搬送装置２０が、天井側に形成された走行レール（走行経路）に沿って走行して物品を搬送する天井搬送車や、自身の現在位置を認識しながら床面部を自律走行する物品搬送車等の、スタッカークレーン以外の搬送装置であっても良い。また、上記の実施形態では、搬送装置２０が単一の搬送装置により構成される場合を例として説明したが、搬送装置２０が、互いに参拝対象物１０を移載することが可能な２つ以上の搬送装置を備える構成とすることもできる。
【００４６】
（９）上記の実施形態では、参拝対象物１０が、外形が直方体状の収納容器（厨子）である構成を例として説明した。しかし、そのような構成に限定されることなく、参拝対象物１０が、遺骨や骨壺等の収納物２を収納する容器であって、外形が直方体状ではない収納容器であっても良い。例えば、御堂等の建築物の外形を有する収納容器や、仏や菩薩（地蔵菩薩等）等の信仰対象物の外形を有する収納容器を、参拝対象物１０とすることができる。なお、収納容器には、収納物２に対して上側から被せられる形態のもの（収納物２を上方及び側方から覆う形態のもの）も含まれる。また、参拝対象物１０が収納容器ではない構成とすることもできる。例えば、参拝対象物１０を、上述した位牌や仏像等とすることができる。
【００４７】
（１０）上記の実施形態では、参拝用支持位置３０に参拝用支持部３１が設けられる構成を例として説明した。しかし、そのような構成に限定されることなく、参拝用支持位置３０に参拝用支持部３１が設けられず、参拝対象物１０が下方支持部４４により参拝用支持位置３０に移動された後、参拝者Ｐによる参拝が終了するまでの間、参拝対象物１０が参拝用支持位置３０において下方支持部４４にて下方から支持された状態が維持される構成とすることもできる。また、図７に示す例のように、搬送装置２０が、上記の実施形態での搬送装置２０に相当する第一搬送装置２１とは別に、第一搬送装置２１と参拝用支持位置３０との間で参拝対象物１０を搬送する第二搬送装置２２を備える構成とし、参拝者Ｐによる参拝が終了するまでの間、参拝対象物１０が参拝用支持位置３０において第二搬送装置２２にて支持された状態が維持される構成とすることもできる。なお、図７に示す例では、第二搬送装置２２による参拝対象物１０の搬送経路は第一方向Ｘに沿って延びるように形成されており、当該搬送経路の一端が、第一搬送装置２１と第二搬送装置２２との間で参拝対象物１０が移載される中継部とされ、当該搬送経路の他端が参拝用支持位置３０とされている。このような構成では、例えば、第二搬送装置２２における参拝対象物１０の位置を検出するためのセンサの検出情報に基づき、参拝対象物１０が参拝用支持位置３０に到着したか否かの判定を行うことができる。図７に示す例では、第二搬送装置２２がローラコンベヤにより構成されているが、第二搬送装置２２をベルトコンベヤやスラットコンベヤ等のローラコンベヤ以外の搬送機構により構成しても良い。
【００４８】
（１１）上記の実施形態では、１つの保管部６５に１つの参拝対象物１０が保管される構成を例として説明した。しかし、そのような構成に限定されることなく、１つの保管部６５に、複数の参拝対象物１０（例えば、２つの参拝対象物１０）が第一方向Ｘに並べて保管される構成とすることもできる。また、上記の実施形態では、参拝設備１が第一保管棚６１及び第二保管棚６２の双方を備える構成を例として説明したが、参拝設備１が第一保管棚６１及び第二保管棚６２のいずれか一方のみを備える構成とすることもできる。
【００４９】
（１２）なお、上述した各実施形態で開示された構成は、矛盾が生じない限り、他の実施形態で開示された構成と組み合わせて適用すること（その他の実施形態として説明した実施形態同士の組み合わせを含む）も可能である。その他の構成に関しても、本明細書において開示された実施形態は全ての点で単なる例示に過ぎない。従って、本開示の趣旨を逸脱しない範囲内で、適宜、種々の改変を行うことが可能である。
【００５０】
〔上記実施形態の概要〕
以下、上記において説明した参拝設備の概要について説明する。
【００５１】
参拝対象物を保管する複数の保管部と、参拝者による参拝が行われる参拝部と、前記保管部と前記参拝部に設けられた参拝用支持位置との間で前記参拝対象物を搬送する搬送装置と、を備えた参拝設備であって、前記参拝者の参拝位置と前記参拝用支持位置とを仕切るように前記参拝部に配置される仕切壁と、光透過率を調節可能な調光部材を用いて構成された窓部材と、光量を調節可能な照明装置と、前記窓部材の光透過率及び前記照明装置の光量を制御する制御装置と、を備え、前記仕切壁における前記参拝用支持位置に支持された前記参拝対象物が対向する部分に、前記参拝者が当該参拝対象物を視認するための参拝窓が形成され、前記参拝窓には、前記窓部材が配置され、前記照明装置は、前記参拝用支持位置に支持された前記参拝対象物に光が当たる位置に配置され、前記制御装置は、前記搬送装置の搬送作動による前記参拝対象物の前記参拝用支持位置への到着に合わせて、前記窓部材の光透過率の増加、及び、前記照明装置の光量の増加の少なくとも一方を行う。
【００５２】
上記の構成によれば、光透過率を調節可能な調光部材を用いて構成される窓部材が、参拝窓に配置されると共に、光量を調節可能な照明装置が、参拝用支持位置に支持された参拝対象物に光が当たる位置に配置されるため、参拝者から見た参拝窓よりも参拝用支持位置側の領域の視認性を、窓部材の光透過率の調節や照明装置の光量の調節によって制御することができる。そして、窓部材の光透過率及び照明装置の光量を制御する制御装置により、搬送装置の搬送作動による参拝対象物の参拝用支持位置への到着に合わせて、窓部材の光透過率の増加及び照明装置の光量の増加の少なくとも一方が行われるため、参拝対象物の参拝用支持位置への到着よりも前の時点では上記の視認性を低く抑え、参拝対象物の参拝用支持位置への到着よりも後の時点では上記の視認性を高く確保することができる。これにより、参拝対象物の参拝用支持位置への到着よりも前の時点では、参拝対象物が搬送装置によって搬送されていることに参拝者の意識が向き難くして、参拝部における厳粛な雰囲気が損なわれることを抑制することができると共に、参拝対象物の参拝用支持位置への到着よりも後の時点では、参拝用支持位置に支持された参拝対象物の参拝者から見た視認性を高く確保して、参拝者の満足感の向上を図ることができる。
なお、参拝者から見た参拝窓よりも参拝用支持位置側の領域の視認性の制御は、窓部材の光透過率の調節や照明装置の光量の調節という、参拝者に機械的な可動部分が見えない方法で行われるため、参拝部における厳粛な雰囲気を維持しつつ上記のような視認性の制御を行うことができるという利点もある。
以上のように、上記の構成によれば、搬送装置による参拝対象物の搬送によって厳粛な雰囲気が損なわれることを抑制することが可能な参拝設備を実現することができる。
【００５３】
ここで、前記参拝窓は、前記参拝用支持位置の側から前記参拝位置の側へ向かうに従って段階的に開口面積が大きくなる複数の開口部を備え、前記窓部材は、前記複数の開口部の少なくとも１つに配置されていると好適である。
【００５４】
この構成によれば、参拝窓が１つの開口部のみを備える場合に比べて、参拝窓の奥行き感を出し、参拝部における演出効果（荘厳さや高級感等）の向上を図ることができる。
【００５５】
上記のように前記参拝窓が前記複数の開口部を備える構成において、前記窓部材は、前記複数の開口部のうちの最も前記参拝位置の側の開口部に配置されていると好適である。
【００５６】
この構成によれば、塵埃、雨水、虫等の異物が、参拝者の参拝位置の側から参拝窓を通って参拝用支持位置の側に入ることを、複数の開口部のうちの最も参拝位置の側の開口部において抑制することができる。よって、参拝用支持位置だけでなく複数の開口部の間の位置にも上記のような異物が入ることを抑制することができ、参拝設備の機能や品位を適切に保つことが容易となる。この構成は、参拝者の参拝位置が屋外に設けられる場合に特に適している。
【００５７】
また、上記のように前記参拝窓が前記複数の開口部を備える構成において、前記照明装置は、複数の光源を備え、前記複数の光源が、前記複数の開口部のそれぞれにおける前記参拝用支持位置の側の複数の位置に分かれて配置されていると好適である。
【００５８】
この構成によれば、複数の光源の全てが、参拝者の参拝位置から参拝用支持位置に向かう方向における互いに同じ位置に配置される場合とは異なり、光源間の当該方向における配置位置の差を、照明装置による光の演出に利用することができる。よって、参拝部における演出効果（荘厳さや高級感等）の向上を図ることができる。
【００５９】
本開示に係る参拝設備は、上述した各効果のうち、少なくとも１つを奏することができれば良い。
【符号の説明】
【００６０】
１：参拝設備
５：制御装置
６：参拝部
８：窓部材
８ａ：調光部材
１０：参拝対象物
２０：搬送装置
３０：参拝用支持位置
５０：仕切壁
５２：参拝窓
６５：保管部
７０：開口部
９０：照明装置
９１：第一光源（光源）
９２：第二光源（光源）
９３：第三光源（光源）
Ｐ：参拝者
Ｓ：参拝位置
【図１】
2018159187.tif 000003
【図２】
2018159187.tif 000004
【図３】
2018159187.tif 000005
【図４】
2018159187.tif 000006
【図５】
2018159187.tif 000007
【図６】
2018159187.tif 000008
【図７】
2018159187.tif 000009